(57)【要約】【課題】  床頭台に設置される比較的大型テレビの画面の向きを、患者がベッドで寝たままで調整することができ、且つ、高齢者であっても簡単に操作することができ、更には、病院に設置することから安全性が十分に確保された床頭台用リモコン付テレビを提供する。【解決手段】  テレビのリモコン受信部からの操作信号により、テレビ画面を上下方向及び左右方向へモータにより回動するテレビ支持装置を設け、上下方向を駆動するモータとテレビ支持部とはウォーム歯車装置を介して伝動され、テレビ画面の回動作動中にテレビ画面及び枠体に手や指が挟まれた場合に接触負荷を検出してモータ回動作動を停止する安全装置を設けた床頭台用リモコン付テレビ。【選択図】図３
2008109407.tif 000002
【特許請求の範囲】
【請求項１】
テレビのリモコン受信部からの操作信号により、テレビ画面を上下方向及び左右方向へモータにより回動するテレビ支持装置を設け、
上下方向を駆動するモータとテレビ支持部とはウォーム歯車装置を介して伝動され、
テレビ画面の回動作動中にテレビ画面及び枠体に手や指が挟まれた場合に接触負荷を検出してモータ回動作動を停止する安全装置を設けたことを特徴とする床頭台用リモコン付テレビ。
【請求項２】
前記テレビの前面の操作スイッチは、施設案内ボタンだけであることを特徴とする請求項１に記載の床頭台用リモコン付テレビ。
【請求項３】
前記テレビの枠体の角部は、全て大きな曲率半径の曲面であることを特徴とする請求項１に記載の床頭台用リモコン付テレビ。
【請求項４】
前記テレビ支持装置は、ポール部に接続する台板部によって上方の床頭台天板に取り付けられるものであって、天板は上下の２枚から構成され、下部天板の所定位置に前記ポール部が貫通するポール孔を設け、該ポール孔に上方からポール部を挿入して前記台板部が下部天板の上面に係止され、該台板部を覆うように上部天板を重ね合わせたことを特徴とする請求項１乃至３に記載の床頭台用リモコン付テレビ。
【発明の詳細な説明】
【技術分野】
【０００１】
本発明は、病院のベッド近傍に配置する床頭台等に収納する比較的大型のリモコン付テレビに関する。
【背景技術】
【０００２】
従来、病院等では通常ベッド近傍には床頭台が配置され、その床頭台の上部の棚或いは天板にはテレビが載置されている(例えば、特許文献１、特許文献２）。
これらのテレビは、回動する回転台に載置され、テレビ画面の左右の向きは人の手によって変えられる。
また、リモコンによりテレビの画面の向きを変えるテレビ装置も開発されている(例えば、特許文献３)。
【特許文献１】特許３６８４４２４号公報
【特許文献２】特許３７８０３７８号公報
【特許文献３】特開２００６−５７９５号公報
【発明の開示】
【発明が解決しようとする課題】
【０００３】
ところで、病院のベッド近傍に配置する床頭台には通常テレビが載置されるが、患者自身は起きられない場合が多く、看護士や付添人がテレビ画面の向きを調整できるが患者自身で調整するのは困難である。特に、液晶の薄型テレビ等が近時普及しているが、この液晶テレビは画面の向きで見やすさが異なるので、見る位置毎にテレビの画面の方向を頻繁に調整する必要があり、特に、床頭台設置のテレビとしては比較的大型の１７インチ以上の大型テレビの位置調整となると患者や病院側にとって煩わしい問題であった。
また、近時薄型テレビも大型化し、例えば、画面が１７インチ以上の大型テレビとなると薄型であっても重量もあり、特許文献３のような、１７インチ以下の小型のテレビの回動は通常の容量の小さなＤＣモータでの可能であったが、重量のある大型テレビの画面調整の駆動には無理であり、大型テレビの画面向き調整の回動駆動にはＡＣ同期モータ等を使用しなければ余裕のある駆動が出来ない。
ところで、このような大型テレビの向き調整用に大型モータを使用するとなると、テレビ自体が大きく駆動力も大きいことから、体力が弱い患者の身体が何かの物に手首や指が挟まれたりするという不測の事故が生じかねない。更に、重量のある大型テレビを駆動となると、静止状態にした場合に、左右(水平)方向の回動では問題がないが、上下方向の回動では、モータの停止時にはテレビの自重により自重の加わる方向に自然に回動してしまうという問題があり、このような問題点や経費が嵩むことから、従来、床頭台の大型テレビの載置において、リモコンによるテレビ画面の向きの調整は行っていなかった。しかも、病院の床頭台に設置されるテレビも、高齢者が画面の字を読む場合等の不便さから、大型テレビの設置が要望されるようになってきた。
また、近年、ベッド自体電動で上下動し、それに伴って患者のテレビを見る角度も頻繁にかわり、その都度、手でテレビの画面の向きを調整する必要があり、特に、液晶画面は見る角度によって明るさが変わるので、向きの調整は頻繁に行わなければならいという問題点があった。
本発明は、このような問題点に鑑みてなされたもので、病院の床頭台に設置する大型テレビにおいて、ベッド自体が上下して患者のテレビを見る角度が変わっても、テレビ画面の向きを寝たままで患者自身が調整することができ、且つ、簡単に調整操作することができ、更には、病院に設置することから、患者の手や指が挟まれることがないように、安全性が十分に確保された床頭台用リモコン付テレビを提供するものである。
【課題を解決するための手段】
【０００４】
上記の課題を解決するために、請求項１の発明は、テレビのリモコン受信部からの操作信号により、テレビ画面を上下方向及び左右方向へモータにより回動するテレビ支持装置を設け、上下方向を駆動するモータとテレビ支持部とはウォーム歯車装置を介して伝動され、テレビ画面の回動作動中にテレビ画面及び枠体に手や指が挟まれた場合に接触負荷を検出してモータ回動作動を停止する安全装置を設けたことを特徴とする床頭台用リモコン付テレビである。
請求項２の発明は、前記テレビの前面の操作スイッチは、施設案内ボタンだけであることを特徴とする請求項１に記載の床頭台用リモコン付テレビである。
請求項３の発明は、前記テレビの枠体の角部は、全て大きな曲率半径の曲面であることを特徴とする請求項１に記載の床頭台用リモコン付テレビである。
請求項４の発明は、前記テレビ支持装置は、ポール部に接続する台板部によって上方の床頭台天板に取り付けられるものであって、天板は上下の２枚から構成され、下部天板の所定位置に前記ポール部が貫通するポール孔を設け、該ポール孔に上方からポール部を挿入して前記台板部が下部天板の上面に係止され、該台板部を覆うように上部天板を重ね合わせたことを特徴とする請求項１乃至３に記載の床頭台用リモコン付テレビである。
【発明の効果】
【０００５】
本発明の床頭台用リモコン付テレビによれば、床頭台に設置される１７インチ以上の比較的大型テレビでも画面の向きを、患者がベッドで寝たままで調整することができ、且つ、高齢者であっても簡単に操作することができ、更には、病院に設置することから、患者の手や指が挟まれることがなく、安全性を十分に確保できる。また、ベッド自体が電動で上下動して患者のテレビを見る角度が頻繁に変わっても、患者が寝たままで簡単にテレビの画面の向きを調整することができ、液晶画面が患者の見る角度によって明るさが変わることにも即座に対応することができる。
【発明を実施するための最良の形態】
【０００６】
ここで、本発明に好適な床頭台用リモコン付テレビの実施例を、図面に沿って説明する。
図１、図２に示すように、病院等のベッドの近傍に配置する床頭台１の天板１１に床頭台に載置としては１７インチ以上の比較的大型の薄型テレビ２をテレビ回動支持部３を介して載置した状態を示すもので、この薄型テレビ２の外枠は、病院内で使用することから、外枠２１の角部は全て大きな曲率半径Ｒの曲面として、身体が当たっても思わぬ怪我をしないような形状をしており、大型薄型テレビ２の前面もディスプレイ部２２の下の操作部の単純化しており、下部の細長い部分は中央にイヤホーンジャック２３とON/OFFランプ２４と右側近傍に病院案内の押しボタンスイッチ２５と左側近傍にリモコン受信部２６と左右にスピーカー２７が配置されているだけである。
ディスプレイ部２２の背面部２８には、ワイヤレスリモコンにより左右・上下方向にテレビ２の本体が回動する比較的大型の薄型テレビの向きを調整するテレビ回動支持装置３が取り付けられている。
【０００７】
[テレビ回動支持装置」
テレビ回動支持装置３は、図３にも示すように、天板取付部３１とテレビ取付部３２とからなり、天板取付部３１の矩形の台板部311の４辺隅部にはそれぞれ取付孔312が４個設けられ、ボルト313で天板11に固定し、テレビ取付部３２をディスプレイ部２２の背面部２８にボルト321で固定する。
天板取付部３１とテレビ取付部３２との間には、大型テレビ２を回動するための回動駆動部３３が介在しており、天板取付部３１は台板311に直角に固定ポール部314が設けられ、固定ポール部314には回動駆動部３３の枠体333内にはモータが収納され、それによって回転する支持軸331を介して左右方向に回動可能に接続され、回動駆動部３３の両側部から突出した上下方向に回動可能な駆動軸332にはテレビ取付部３２が取付されている。なお、符合334は電源やテレビ２からのリモコン信号と接続する接続コードである。
この駆動軸332の両端には一対の取付金具321が固着され、この取付金具321の拡大端部には一対の取付孔322が設けられ、大型テレビ２の背面部２８に設けられた国際規格の雌ネジ孔281が４箇所に設けれ、ボルト323を前記取付孔322に挿入して前記雌ネジ孔281に縲合して固定する。
【０００８】
回転駆動部３３の内部は、図３、図４に示すように、左右方向に回動するモータＭ１(34)と上下方向に回動可能なモータＭ２(35)が配置されている。駆動する対象が重量のある大型薄型テレビであることから、ＤＣモータではなく、大容量コンデンサーで位相を反転することができるＡＣ同期モータ（ＡＣリバーシブルモータ）を使用して十分な駆動力を得ている。
左右方向に回動するモータＭ１(34)は、後述するリモート受信信号によって駆動されるが、歯車列341によって最終歯車3411が減速回転されて固定された支持軸331に接続し、支持軸331が固定ナット315で天板取付部３１に固定される。
したがって、固定ナット315で固定ポール部314及び台板部311で天板取付部３１に固定されているので、相対的に回転駆動部３３が左右に回動する。回動範囲は最終歯車3411に設けられたストッパー突起343が設けられ、左右の回動範囲の端にはリミットスイッチＳＷ１(3431)、ＳＷ２(3432)を設けてストッパー突起343を作動させモータＭ１の電源を切断し、Ｍ１の回転を止める。
上下方向に回動するモータＭ２(35)は、後述するリモート受信信号によってモータ制御回路４(図５)を介して駆動され、モータ軸351の回転をウォーム歯車装置352によってテレビ画面の上下方向の駆動に変換して駆動軸332を上下方向に回動させている。また、歯車353にはストッパー突起354が設けられ、上下の回動範囲の端にはリミットスイッチＳＷ３(3541)、ＳＷ４(3542)を設けてストッパー突起354を作動させモータＭ２(35)の電源を切断し、モータＭ２(35)の回転を止める。
【０００９】
[ウォーム歯車装置]
ここで、ウォーム歯車3521対応する平歯車3522と組み合わせたウォーム歯車装置352を用いるのは、ウォーム歯車装置352が二軸が互いに直角をなす歯車で、モータＭ２(35)の軸にはネジ状の歯車(ウォーム)3521が、テレビ回動の駆動軸332の歯車(ウォームホイール)3522に噛み合い、モータ軸351の回転数に比べて駆動軸332の回転数は極端に少なく、逆転不能であるからであり、モータＭ２の回転が停止した後に、薄型テレビ２の自重によって自然に回転するのを阻止するためである。
【００１０】
[モータ制御回路・安全装置の回路]
本実施例は、薄型ではあるが画面対角線の長さも２１、或いは、２３インチが重量も５Kg程度もある大型テレビを使用するもので、この大型テレビ２を支持して回動するテレビ回動支持装置に用いるモータはスペースも制限があるとなると、通常の容量の小さなＤＣモータでの駆動は困難で、本実施例では大容量コンデンサーで位相を反転することができるＡＣ同期モータを用いており、このモータＭ１(34)、モータＭ２(35)の駆動を制御するモータ制御回路が必要となり、このモータ制御回路はリモコン信号発信器からの操作信号を、大型テレビ２の前面に設けたリモコン受信部２６で受信して、この信号に基づいて、モータＭ１(34)、モータＭ２(35)の駆動を制御する。また、このように、テレビ自体が大きく回動する駆動力も大きいことから、体力が弱い患者の身体(手、指)がテレビ２枠体等と何かの物に挟まれ怪我をするという不測の事故が生じかねないので、それを感知して直ちにモータ駆動を停止する安全装置が必要になる。
図５を用いて、前記モータ制御回路４、安全装置の回路５を説明するが、 図５は本実施例のモータ制御回路４と安全装置５の構成を簡略化して作動の概略を表した回路である。
電源はＡＣ１００Ｖの商用電源で、トランスＴによって一端はアースされ、他端はモータ駆動の２４Ｖと回路用電源の８Ｖに減圧され、８Ｖ端はダイオードＤ１によってＤＣとなり、一部は可変抵抗ＶＲ１〜４に供給され、一部は定電圧素子Ｕ２によってＤＣ５Ｖに整流されてモータ制御回路が組み込まれた集積回路(ＩＣ)素子Ｕ１に供給される。
【００１１】
[左右・上下の駆動制御]
一方、モータ駆動の２４Ｖ端は、左右方向回転駆動用のモータＭ１(34)と、上下方向回転駆動用のモータＭ２(35)に接続される。
左右方向駆動モータＭ１(34)について説明すると、モータＭ１(34)の右回転端子(右)と左回転用端子(左)にトライアックＱ１、Ｑ２とリミットスイッチＳＷ１(3431)、ＳＷ２(3432)を介して接続されており、トライアックＱ１、Ｑ２の制御端であるゲートはそれぞれ集積回路素子Ｕ１の端子３、４に接続されている。
また、上下方向駆動モータＭ２(35)について説明すると、モータＭ２(35)の右回転端子(右)と左回転用端子(左)にトライアックＱ３、Ｑ４とリミットスイッチＳＷ３(3541)、ＳＷ４(3542)を介して接続されており、トライアックＱ３、Ｑ４の制御端であるゲートはそれぞれ集積回路素子Ｕ１の端子５、６に接続されている。
【００１２】
[左右方向の制御]
今、図６に示すリモコン６の操作ボタンのテレビ向きの（右）ボタン６１を押すと、リモコンからの操作送信信号がリモコン受信部２６で受信され、その信号がモータ制御回路４の端子Ｓ１、Ｅに入力され、増幅器ＡＰ１で操作信号が増幅されて集積回路素子Ｕ１の端子１,２に入力される。この信号に基づいて集積回路素子Ｕ１ではモータ駆動信号(閉信号)を端子３からトライアックＱ１のゲートに出力し、トライアックＱ１は通電状態となってモータＭ１を右回転駆が動可能状態となり、テレビ２が右方向に振り切っていなければリミットスイッチＳＷ１(3431)は閉状態の通電状態であるから、モータＭ１(34)にはＡＣ２４Ｖが供給され右回転を開始する。また、（右）ボタン６１を離せば、リモコン６からの操作信号が途絶えるから、モータ制御回路４の端子Ｓ１、Ｅにも信号が途絶え、集積回路素子Ｕ１の端子３からトライアックＱ１のゲートに開信号を出力し、トライアックＱ１は開放状態となり、モータＭ１(34)は右回転は停止する。
逆に、リモコン６の操作ボタンのテレビ向きの（左）ボタン６２を押すと、同様に集積回路素子Ｕ１では端子４からリモコン６の操作信号よるモータ駆動信号(閉信号)をトライアックＱ２のゲートに出力し、トライアックＱ２は通電状態となってモータＭ１を左回転駆動が可能状態となり、テレビ２が左方向に振り切っていなければリミットスイッチＳＷ２(3432)は閉状態の通電状態であるから、モータＭ１(34)は左回転を開始し、リモコン６の（左）ボタンを離せば左回転を停止する。
【００１３】
[上下方向の制御]
次に、テレビ画面の上下方向制御について説明するが、大型テレビ２は重量があることから、上下方向回転駆動用のモータＭ２(35)は左右方向回転駆動用のモータＭ１(34)に比べて馬力があり大型である。
操作方法は、左右方向の制御と同様で、図６に示すリモコン６の操作ボタンのテレビ向きの（上）ボタン６３を押すと、リモコンからの操作信号がリモコン受信部２６で受信され、その信号がモータ制御回路４の端子Ｓ１、Ｅに入力され、増幅器ＡＰ１で操作信号が増幅されて集積回路素子Ｕ１の端子１,２に入力される。この信号に基づいて集積回路素子Ｕ１ではモータ駆動信号(閉信号)を端子５からトライアックＱ３のゲートに出力し、トライアックＱ３は通電状態となりモータＭ２を駆動可能状態となり、テレビ２が上方向に振り切っていなければリミットスイッチＳＷ３(3541)は閉状態の通電状態であるから、モータＭ２(35)にはＡＣ２４Ｖが供給され右(上)回転を開始する。また、（上）ボタン６３を離せば、モータ制御回路４の端子Ｓ１、Ｅにも信号が途絶え、集積回路素子Ｕ１の端子５からトライアックＱ３のゲートに開信号を出力し、トライアックＱ３は開放状態となり、モータＭ２(35)は右(上)回転は停止する。
逆に、リモコン６の操作ボタンのテレビ向きの（下）ボタン６４を押すと、同様に集積回路素子Ｕ１ではリモコン６の操作信号から、トライアックＱ４のゲートに閉信号を出力し、トライアックＱ２は通電状態となり、テレビ２が下方向に振り切っていなければリミットスイッチＳＷ４(3542)は閉状態の通電状態であるから、モータＭ２(35)は左(下)回転を開始し、リモコン６の（下）ボタンを離せば左(下)回転を停止する。
【００１４】
[安全装置]
前述したように、テレビ自体が大きく、また、回動する駆動力も大きいことから、体力が弱い患者の身体(手、指)がテレビ２枠体等と何かの物に挟まれ怪我をするという不測の事故が生じかねないので、それを感知して直ちにモータ駆動を停止する安全装置が必要であるが、本実施例ではモータＭ１，Ｍ２のＡＣ電源の供給回路に過電流検出回路を設け、少しでも通常よりも大きな電流が流れた場合には、患者の手や指に当たったものとして、直ちにモータＭ１，Ｍ２の電源を遮断するように構成している。この過電流検出回路は、通常の電源回路のようにモータや電子部品を保護するものではなく、患者の安全を確保するものであるから、閾値(シュレショルド値)は低くして少しの過電流でも反応するように、感度を高くする点で、通常の保護回路での過電流検出回路とは目的・作用・効果が異なるものである。
【００１５】
この安全装置である過負荷検出回路５を、図５の回路図で説明すると、モータの電源ＡＣ２４Ｖの一端（アース側）ＥとモータＭ１(34)とモータＭ２(35)の共通接続端子ＣとのＡ,A1(c)間に、低抵抗であるシャント抵抗Ｒ１を直列に接続しモータの電流変化を電圧変化とする。この際、モータ供給電源は交流ＡＣ電源であることから分流分は直流ＤＣに変換に電圧変化を検知している。このため、ツュナーダイオードＤ２と抵抗Ｒ３とを直列にしてシャント抵抗Ｒ１と並列に接続して分流させ、過電流検出回路51を構成したもので、ツュナーダイオードＤ２と抵抗Ｒ３との接続部分に抵抗Ｒ２を介してモータの電流変化を感知したもので、端子Ｂ１とＥとにはモータＭ１、Ｍ２の電流変化に対応したＤＣの検出電圧値Ｖ１が出力される。
この検出電圧値Ｖ１の変化に基づいて、過電流であることを感知すると、モータＭ１(34)とモータＭ２(35)の電源を遮断するが、そのために、検出電圧値Ｖ１はモータ制御回路が組み込まれた集積回路(ＩＣ)素子Ｕ１の端子１２に入力され、集積回路(ＩＣ)素子Ｕ１では過電流と認識する基準値は使用するモータＭ１(34)とモータＭ２(35)とは定格がそれぞれ異なることから可変抵抗ＶＲ１〜４でそれぞれの基準値を設定し、所定の基準値を超えた検出電圧値Ｖ１を検出した場合は、端子３〜６のトライアックＱ１〜Ｑ２に対応するのゲートに開信号を出力し、トライアックＱ１〜Ｑ２は開放状態となり、モータＭ１(34)、Ｍ２(35)の回転は停止し、それ以上に患者の手や指を挟まないように安全を確保するものである。
なお、本実施例では安全装置は、モータ過電流検出を検知してモータを停止させているが、タッチセンサーで手・指がテレビ２に触れたのを検知しモータを停止させるようにしてもよい。
【００１６】
[リモコン送信機]
図６に本実施例のワイヤレスリモコン送信器６を示すが、病院の床頭台での高齢者や体力の弱った患者が使用することから、細かな操作ボタンは排除し可能な限り単純化し、チャンネル操作等のテレビ操作ボタンとテレビ画面調整ボタンとを一体化して単純化したものである。
このリモコン送信機は、通常より大きな面積の電源ボタン６５、上下のチャンネル操作ボタン６６、＋−のオンリョウ(音量)操作ボタン６７が配置され、映像されている画面が何であるかを表示する表示ボタン６８と、所定時間経過後にテレビの電源を遮断するおやすみタイマーボタン６９が配置され、通常のリモコンとは異なるのは、テレビの向きを操作するボタンが配置されていることであり、前述のテレビの向きを右向きに操作する（右）ボタン６１、左向きに操作する（左）ボタン６２、上向きに操作する（上）ボタン６３、下向きに操作する（下）ボタン６４を配置している。
テレビ２の本体の操作ボタンもリモコン操作と重複しないように、病院の施設や種々の案内を表示する、病院案内ボタン２５が配置されているだけである。
【００１７】
図１、図２で説明したテレビ支持装置３は、天板１１の上に設けるタイプであるが、図７、図８に示す、別の天板１１から下方に取り付ける場合を説明する。
基本的には、図１、図２で説明した設置方法と同じであるが、床頭台１の棚の上を煩雑にしないように構成したもので、ポール部314に接続する台板部311を係止具として利用するもので、床頭台１の天板１１を上下の２枚に構成し、天板１１の下に位置する下部天板111の所定位置にポール部314が貫通し、台板部311よりは十分小さなポール用孔１３を設け、予めテレビ回動支持装置３を天板取付部３１と回動駆動部３３とを分解しておき、天板取付部３１のポール部314を前記ポール用孔１３に上方から挿入する。この際、ポール用孔１３の直径は矩形の台板部311よりも十分小さいので、この矩形の台板部311が確実に下部天板111の上面に係止されることになり、さらには、四隅の取付孔312に木ねじ316を挿入して下部天板111に固着する。その後、台板部311を覆うように上部天板112を重ね合わせて、天板上部に更なる物品を載置できるようにする。また、デザイン的にもスッキリし綺麗な床頭台となる。
【００１８】
本実施例の床頭台用リモコン付テレビは、床頭台に設置される１７インチ以上の比較的大型テレビの画面の向きを、患者がベッドで寝たままで調整することができ、且つ、高齢者であっても簡単に操作することができ、更には、病院に設置することから安全性が十分に確保され、テレビの操作部も単純であり、ワイヤレスリモコン送信器も単純であり、チャンネル操作の他にテレビ向き調整ボタンを一体化したもので紛失することが少ない等の利点がある。
なお、本発明の特徴を損なうものでなければ、上記の実施例に限定されるものでないことは勿論である。
【図面の簡単な説明】
【００１９】
【図１】本発明の実施例を床頭台の天板上に載置した状態の図、
【図２】図１の側面図、
【図３】本発明の実施例のテレビ回動支持装置の分解斜視図、
【図４】図３の回動駆動部の拡大部分断面図、
【図５】本発明の実施例のモータ制御回路と安全装置の構成を簡略化した回路図、
【図６】本発明の実施例に使用するワイヤレスリモコン送信器の外観正面図、
【図７】本発明の実施例を床頭台の天板の下に取り付けた状態の図、
【図８】図７の側部分断面図である。
【符号の説明】
【００２０】
１…床頭台、１１…天板、111…下部天板、112…上部天板、
１２…背板、１３…ポール用孔
２…薄型テレビ、２１…外枠、２２…ディスプレイ部、
２３…イヤホーンジャック、２４…ON/OFFランプ、
２５…病院案内の押しボタンスイッチ、２６…ワイヤレスリモコン受信部、
２７…スピーカー、２８…背面、281…取付孔
３…テレビ回動支持装置、
３１…天板取付部、311…矩形の台板部、312…取付孔、
313…ボルト、314…ポール部、315…固定ナット、316…木ネジ、
３２…テレビ取付部、321…取付金具、322…取付孔、323…ボルト、
３３…回動駆動部、331…支持軸、332…駆動軸、333…枠体、334…接続コード
３４…モータＭ１、341…歯車列、3411…最終歯車、
342…出力軸、343…ストッパー突起、3431…リミットスイッチＳＷ１、
3432…リミットスイッチＳＷ２、
３５…モータＭ２、351…モータ軸、352…ウォーム歯車装置、
3521…ウォーム歯車、3522…平歯車、
354…ストッパー突起、3541…リミットスイッチＳＷ３、
3542…リミットスイッチＳＷ４、  
４…モータ制御回路、５…過負荷検出回路(安全装置)、
６…ワイヤレスリモコン送信器、６１〜６４…テレビ向き操作ボタン、
６５…電源ボタン、６６…チャンネル操作ボタン、６７…音量操作ボタン、
６８…画面表示ボタン、６９…タイマーボタン、
【図１】
2008109407.tif 000003
【図２】
2008109407.tif 000004
【図３】
2008109407.tif 000005
【図４】
2008109407.tif 000006
【図５】
2008109407.tif 000007
【図６】
2008109407.tif 000008
【図７】
2008109407.tif 000009
【図８】
2008109407.tif 000010
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
テレビのリモコン受信部からの操作信号により、テレビ画面の向きを上下方向及び左右方向へモータにより回動するテレビ支持装置を設け、
上下方向を駆動するモータとテレビ支持部とはウォーム歯車装置を介して伝動され、
テレビ画面の回動作動中にテレビ画面及び枠体に手や指が挟まれた場合に接触負荷を検出してモータ回動作動を停止する安全装置を設けたことを特徴とする床頭台用リモコン付テレビ。
【請求項２】
前記テレビの前面の操作スイッチは、施設案内ボタンだけであることを特徴とする請求項１に記載の床頭台用リモコン付テレビ。
【請求項３】
前記テレビの枠体の角部は、全て大きな曲率半径の曲面であることを特徴とする請求項１に記載の床頭台用リモコン付テレビ。
【請求項４】
前記テレビ支持装置は、ポール部に接続する台板部によって上方の床頭台天板に取り付けられるものであって、天板は上下の２枚から構成され、下部天板の所定位置に前記ポール部が貫通するポール孔を設け、該ポール孔に上方からポール部を挿入して前記台板部が下部天板の上面に係止され、該台板部を覆うように上部天板を重ね合わせたことを特徴とする請求項１乃至３に記載の床頭台用リモコン付テレビ。
【手続補正２】
【補正対象書類名】明細書
【補正対象項目名】全文
【補正方法】変更
【補正の内容】
【発明の詳細な説明】
【技術分野】
【０００１】
本発明は、病院のベッド近傍に配置する床頭台等に収納する比較的大型のリモコン付テレビに関する。
【背景技術】
【０００２】
従来、病院等では通常ベッド近傍には床頭台が配置され、その床頭台の上部の棚、或いは天板にはテレビが載置されている(例えば、特許文献１、特許文献２）。
これらのテレビは、回動する回転台に載置され、テレビ画面の左右の向きは人の手によって変えられる。
また、リモコンによりテレビの画面の向きを変えるテレビ装置も開発されている(例えば、特許文献３)。
【特許文献１】特許３６８４４２４号公報
【特許文献２】特許３７８０３７８号公報
【特許文献３】特開２００６−５７９５号公報
【発明の開示】
【発明が解決しようとする課題】
【０００３】
ところで、病院のベッド近傍に配置する床頭台には通常テレビが載置されるが、患者自身は起きられない場合が多く、看護士や付添人がテレビ画面の向きを調整できるが患者自身で調整するのは困難である。特に、液晶の薄型テレビ等が近時普及しているが、この液晶テレビは画面の向きで見やすさが異なるので、見る位置毎にテレビの画面の方向を頻繁に調整する必要があり、特に、床頭台設置のテレビとしては比較的大型の１７インチ以上の大型テレビの位置調整となると患者や病院側にとって煩わしい問題であった。
また、近時薄型テレビも大型化し、例えば、画面が１７インチ以上の大型テレビとなると薄型であっても重量もあり、特許文献３のような、１７インチ以下の小型のテレビの回動は通常の容量の小さなＤＣモータでの可能であったが、重量のある大型テレビの画面調整の駆動には無理であり、大型テレビの画面向き調整の回動駆動にはＡＣ同期モータ等を使用しなければ余裕のある駆動が出来ない。
ところで、このような大型テレビの向き調整用に大型モータを使用するとなると、テレビ自体が大きく駆動力も大きいことから、体力が弱い患者の身体が何かの物に手首や指が挟まれたりするという不測の事故が生じかねない。更に、重量のある大型テレビを駆動となると、静止状態にした場合に、左右(水平)方向の回動では問題がないが、上下方向の回動では、モータの停止時にはテレビの自重により自重の加わる方向に自然に回動してしまうという問題があり、このような問題点や経費が嵩むことから、従来、床頭台の大型テレビの載置において、リモコンによるテレビ画面の向きの調整は行っていなかった。しかも、病院の床頭台に設置されるテレビも、高齢者が画面の字を読む場合等の不便さから、大型テレビの設置が要望されるようになってきた。
また、近年、ベッド自体電動で上下動し、それに伴って患者のテレビを見る角度も頻繁にかわり、その都度、手でテレビの画面の向きを調整する必要があり、特に、液晶画面は見る角度によって明るさが変わるので、向きの調整は頻繁に行わなければならいという問題点があった。
本発明は、このような問題点に鑑みてなされたもので、病院の床頭台に設置する大型テレビにおいて、ベッド自体が上下して患者のテレビを見る角度が変わっても、テレビ画面の向きを寝たままで患者自身が調整することができ、且つ、簡単に調整操作することができ、更には、病院に設置することから、患者の手や指が挟まれることがないように、安全性が十分に確保された床頭台用リモコン付テレビを提供するものである。
【課題を解決するための手段】
【０００４】
上記の課題を解決するために、請求項１の発明は、テレビのリモコン受信部からの操作信号により、テレビ画面の向きを上下方向及び左右方向へモータにより回動するテレビ支持装置を設け、上下方向を駆動するモータとテレビ支持部とはウォーム歯車装置を介して伝動され、テレビ画面の回動作動中にテレビ画面及び枠体に手や指が挟まれた場合に接触負荷を検出してモータ回動作動を停止する安全装置を設けたことを特徴とする床頭台用リモコン付テレビである。
請求項２の発明は、前記テレビの前面の操作スイッチは、施設案内ボタンだけであることを特徴とする請求項１に記載の床頭台用リモコン付テレビである。
請求項３の発明は、前記テレビの枠体の角部は、全て大きな曲率半径の曲面であることを特徴とする請求項１に記載の床頭台用リモコン付テレビである。
請求項４の発明は、前記テレビ支持装置は、ポール部に接続する台板部によって上方の床頭台天板に取り付けられるものであって、天板は上下の２枚から構成され、下部天板の所定位置に前記ポール部が貫通するポール孔を設け、該ポール孔に上方からポール部を挿入して前記台板部が下部天板の上面に係止され、該台板部を覆うように上部天板を重ね合わせたことを特徴とする請求項１乃至３に記載の床頭台用リモコン付テレビである。
【発明の効果】
【０００５】
本発明の床頭台用リモコン付テレビによれば、床頭台に設置される１７インチ以上の比較的大型テレビでも画面の向きを、患者がベッドで寝たままで調整することができ、且つ、高齢者であっても簡単に操作することができ、更には、病院に設置することから、患者の手や指が挟まれることがなく、安全性を十分に確保できる。また、ベッド自体が電動で上下動して患者のテレビを見る角度が頻繁に変わっても、患者が寝たままで簡単にテレビの画面の向きを調整することができ、液晶画面が患者の見る角度によって明るさが変わることにも即座に対応することができる。
【発明を実施するための最良の形態】
【０００６】
ここで、本発明に好適な床頭台用リモコン付テレビの実施例を、図面に沿って説明する。
図１、図２に示すように、病院等のベッドの近傍に配置する床頭台１の天板１１に床頭台に載置としては１７インチ以上の比較的大型の薄型テレビ２をテレビ回動支持部３を介して載置した状態を示すもので、この薄型テレビ２の外枠は、病院内で使用することから、外枠２１の角部は全て大きな曲率半径Ｒの曲面として、身体が当たっても思わぬ怪我をしないような形状をしており、大型薄型テレビ２の前面もディスプレイ部２２の下の操作部の単純化しており、下部の細長い部分は中央にイヤホーンジャック２３とON/OFFランプ２４と左側近傍に病院案内の押しボタンスイッチ２５と右側近傍にリモコン受信部２６と左右にスピーカー２７が配置されているだけである。
ディスプレイ部２２の背面部２８には、ワイヤレスリモコンにより左右・上下方向にテレビ２の本体が回動する比較的大型の薄型テレビの向きを調整するテレビ回動支持装置３が取り付けられている。
【０００７】
[テレビ回動支持装置」
テレビ回動支持装置３は、図３にも示すように、天板取付部３１とテレビ取付部３２とからなり、天板取付部３１の矩形の台板部311の４辺隅部にはそれぞれ取付孔312が４個設けられ、ボルト313で天板11に固定し、テレビ取付部３２をディスプレイ部２２の背面部２８にボルト321で固定する。
天板取付部３１とテレビ取付部３２との間には、大型テレビ２を回動するための回動駆動部３３が介在しており、天板取付部３１は台板311に直角に固定ポール部314が設けられ、固定ポール部314には回動駆動部３３の枠体333内にはモータが収納され、それによって回転する支持軸331を介して左右方向に回動可能に接続され、回動駆動部３３の両側部から突出した上下方向に回動可能な駆動軸332にはテレビ取付部３２が取付されている。なお、符合334は電源やテレビ２からのリモコン信号と接続する接続コードである。
この駆動軸332の両端には一対の取付金具321が固着され、この取付金具321の拡大端部には一対の取付孔322が設けられ、大型テレビ２の背面部２８に設けられた国際規格の雌ネジ孔281が４箇所に設けられ、ボルト323を前記取付孔322に挿入して前記雌ネジ孔281に縲合して固定する。
【０００８】
回転駆動部３３の内部は、図３、図４に示すように、左右方向に回動するモータＭ１(34)と上下方向に回動可能なモータＭ２(35)が配置されている。駆動する対象が重量のある大型薄型テレビであることから、ＤＣモータではなく、大容量コンデンサーで位相を反転することができるＡＣ同期モータ（ＡＣリバーシブルモータ）を使用して十分な駆動力を得ている。
左右方向に回動するモータＭ１(34)は、後述するリモート受信信号によって駆動されるが、歯車列341によって最終歯車3411が減速回転されて固定された支持軸331に接続し、支持軸331が固定ナット315で天板取付部３１に固定される。
したがって、固定ナット315で固定ポール部314及び台板部311で天板取付部３１に固定されているので、相対的に回転駆動部３３が左右に回動する。回動範囲は最終歯車3411に設けられたストッパー突起343が設けられ、左右の回動範囲の端にはリミットスイッチＳＷ１(3431)、ＳＷ２(3432)を設けてストッパー突起343を作動させモータＭ１の電源を切断し、Ｍ１の回転を止める。
上下方向に回動するモータＭ２(35)は、後述するリモート受信信号によってモータ制御回路４(図５)を介して駆動され、モータ軸351の回転をウォーム歯車装置352によってテレビ画面の上下方向の駆動に変換して駆動軸332を上下方向に回動させている。また、平歯車3522にはストッパー突起354が設けられ、上下の回動範囲の端にはリミットスイッチＳＷ３(3541)、ＳＷ４(3542)を設けてストッパー突起354を作動させモータＭ２(35)の電源を切断し、モータＭ２(35)の回転を止める。
【０００９】
[ウォーム歯車装置]
ここで、ウォーム歯車3521に対応する平歯車3522と組み合わせたウォーム歯車装置352を用いるのは、ウォーム歯車装置352が二軸が互いに直角をなす歯車で、モータＭ２(35)の軸にはネジ状の歯車(ウォーム)3521が、テレビ回動の駆動軸332の歯車(ウォームホイール)3522に噛み合い、モータ軸351の回転数に比べて駆動軸332の回転数は極端に少なく、逆転不能であるからであり、モータＭ２の回転が停止した後に、薄型テレビ２の自重によって自然に回転するのを阻止するためである。
【００１０】
[モータ制御回路・安全装置の回路]
本実施例は、薄型ではあるが画面対角線の長さが２１、或いは、２３インチで重量が５Kg程度もある大型テレビを使用するもので、この大型テレビ２を支持して回動するテレビ回動支持装置に用いるモータはスペースも制限があるとなると、通常の容量の小さなＤＣモータでの駆動は困難で、本実施例では大容量コンデンサーで位相を反転することができるＡＣ同期モータを用いており、このモータＭ１(34)、モータＭ２(35)の駆動を制御するモータ制御回路が必要となり、このモータ制御回路はリモコン信号発信器からの操作信号を、大型テレビ２の前面に設けたリモコン受信部２６で受信して、この信号に基づいて、モータＭ１(34)、モータＭ２(35)の駆動を制御する。また、このように、テレビ自体が大きく回動する駆動力も大きいことから、体力が弱い患者の身体(手、指)がテレビ２枠体等と何かの物に挟まれ怪我をするという不測の事故が生じかねないので、それを感知して直ちにモータ駆動を停止する安全装置が必要になる。
図５を用いて、前記モータ制御回路４、安全装置の回路５を説明するが、 図５は本実施例のモータ制御回路４と安全装置５の構成を簡略化して作動の概略を表した回路である。
電源はＡＣ１００Ｖの商用電源で、トランスＴによって一端はアースされ、他端はモータ駆動の２４Ｖと回路用電源の８Ｖに減圧され、８Ｖ端はダイオードＤ１によってＤＣとなり、一部は可変抵抗ＶＲ１〜４に供給され、一部は定電圧素子Ｕ２によってＤＣ５Ｖに整流されてモータ制御回路が組み込まれた集積回路(ＩＣ)素子Ｕ１に供給される。
【００１１】
[左右・上下の駆動制御]
一方、モータ駆動の２４Ｖ端は、左右方向回転駆動用のモータＭ１(34)と、上下方向回転駆動用のモータＭ２(35)に接続される。
左右方向駆動モータＭ１(34)について説明すると、モータＭ１(34)の右回転端子(右)と左回転用端子(左)にトライアックＱ１、Ｑ２とリミットスイッチＳＷ１(3431)、ＳＷ２(3432)を介して接続されており、トライアックＱ１、Ｑ２の制御端であるゲートはそれぞれ集積回路素子Ｕ１の端子３、４に接続されている。
また、上下方向駆動モータＭ２(35)について説明すると、モータＭ２(35)の右回転端子(右)と左回転用端子(左)にトライアックＱ３、Ｑ４とリミットスイッチＳＷ３(3541)、ＳＷ４(3542)を介して接続されており、トライアックＱ３、Ｑ４の制御端であるゲートはそれぞれ集積回路素子Ｕ１の端子５、６に接続されている。
【００１２】
[左右方向の制御]
今、図６に示すリモコン６の操作ボタンのテレビ向きの（右）ボタン６１を押すと、リモコンからの操作送信信号がリモコン受信部２６で受信され、その信号がモータ制御回路４の端子Ｓ１、Ｅに入力され、増幅器ＡＰ１で操作信号が増幅されて集積回路素子Ｕ１の端子１,２に入力される。この信号に基づいて集積回路素子Ｕ１ではモータ駆動信号(閉信号)を端子３からトライアックＱ１のゲートに出力し、トライアックＱ１は通電状態となってモータＭ１を右回転駆動可能状態となり、テレビ２が右方向に振り切っていなければリミットスイッチＳＷ１(3431)は閉状態の通電状態であるから、モータＭ１(34)にはＡＣ２４Ｖが供給され右回転を開始する。また、（右）ボタン６１を離せば、リモコン６からの操作信号が途絶えるから、モータ制御回路４の端子Ｓ１、Ｅにも信号が途絶え、集積回路素子Ｕ１の端子３からトライアックＱ１のゲートに開信号を出力し、トライアックＱ１は開放状態となり、モータＭ１(34)は右回転を停止する。こうして、テレビ画面の前面に対する右向きの角度が調整できる。
逆に、リモコン６の操作ボタンのテレビ向きの（左）ボタン６２を押すと、同様に集積回路素子Ｕ１では端子４からリモコン６の操作信号によるモータ駆動信号(閉信号)をトライアックＱ２のゲートに出力し、トライアックＱ２は通電状態となってモータＭ１を左回転駆動が可能状態となり、テレビ２が左方向に振り切っていなければリミットスイッチＳＷ２(3432)は閉状態の通電状態であるから、モータＭ１(34)は左回転を開始し、リモコン６の（左）ボタンを離せば左回転を停止する。こうして、テレビ画面の前面に対する左向きの角度が調整できる。
【００１３】
[上下方向の制御]
次に、テレビ画面の上下方向制御について説明するが、大型テレビ２は重量があることから、上下方向回転駆動用のモータＭ２(35)は左右方向回転駆動用のモータＭ１(34)に比べて馬力があり大型である。
操作方法は、左右方向の制御と同様で、図６に示すリモコン６の操作ボタンのテレビ向きの（上）ボタン６３を押すと、リモコンからの操作信号がリモコン受信部２６で受信され、その信号がモータ制御回路４の端子Ｓ１、Ｅに入力され、増幅器ＡＰ１で操作信号が増幅されて集積回路素子Ｕ１の端子１,２に入力される。この信号に基づいて集積回路素子Ｕ１ではモータ駆動信号(閉信号)を端子５からトライアックＱ３のゲートに出力し、トライアックＱ３は通電状態となりモータＭ２が駆動可能状態となり、テレビ２が上方向に振り切っていなければリミットスイッチＳＷ３(3541)は閉状態の通電状態であるから、モータＭ２(35)にはＡＣ２４Ｖが供給され右(上)回転を開始する。また、（上）ボタン６３を離せば、モータ制御回路４の端子Ｓ１、Ｅにも信号が途絶え、集積回路素子Ｕ１の端子５からトライアックＱ３のゲートに開信号を出力し、トライアックＱ３は開放状態となり、モータＭ２(35)は右(上)回転を停止する。こうして、テレビ画面の前面に対する上向きの角度が調整できる。
逆に、リモコン６の操作ボタンのテレビ向きの（下）ボタン６４を押すと、同様に集積回路素子Ｕ１ではリモコン６の操作信号から、トライアックＱ４のゲートに閉信号を出力し、トライアックＱ４は通電状態となり、テレビ２が下方向に振り切っていなければリミットスイッチＳＷ４(3542)は閉状態の通電状態であるから、モータＭ２(35)は左(下)回転を開始し、リモコン６の（下）ボタンを離せば左(下)回転を停止する。こうして、テレビ画面の前面に対する下向きの角度が調整できる。
【００１４】
[安全装置]
前述したように、テレビ自体が大きく、また、回動する駆動力も大きいことから、体力が弱い患者の身体(手、指)がテレビ２枠体等と何かの物に挟まれ怪我をするという不測の事故が生じかねないので、それを感知して直ちにモータ駆動を停止する安全装置が必要であるが、本実施例ではモータＭ１，Ｍ２のＡＣ電源の供給回路に過電流検出回路を設け、少しでも通常よりも大きな電流が流れた場合には、患者の手や指に当たったものとして、直ちにモータＭ１，Ｍ２の電源を遮断するように構成している。この過電流検出回路は、通常の電源回路のようにモータや電子部品を保護するものではなく、患者の安全を確保するものであるから、閾値(シュレショルド値)は低くして少しの過電流でも反応するように、感度を高くする点で、通常の保護回路での過電流検出回路とは目的・作用・効果が異なるものである。
【００１５】
この安全装置である過負荷検出回路５を、図５の回路図で説明すると、モータの電源ＡＣ２４Ｖの一端（アース側）ＥとモータＭ１(34)とモータＭ２(35)の共通接続端子ＣとのＡ,A1(c)間に、低抵抗であるシャント抵抗Ｒ１を直列に接続しモータの電流変化を電圧変化とする。この際、モータ供給電源は交流ＡＣ電源であることから分流分は直流ＤＣに変換して電圧変化を検知している。このため、ツュナーダイオードＤ２と抵抗Ｒ３とを直列にしてシャント抵抗Ｒ１と並列に接続して分流させ、過電流検出回路51を構成したもので、ツュナーダイオードＤ２と抵抗Ｒ３との接続部分に抵抗Ｒ２を介してモータの電流変化を感知したもので、端子Ｂ１とＥとにはモータＭ１、Ｍ２の電流変化に対応したＤＣの検出電圧値Ｖ１が出力される。
この検出電圧値Ｖ１の変化に基づいて、過電流であることを感知すると、モータＭ１(34)とモータＭ２(35)の電源を遮断するが、そのために、検出電圧値Ｖ１はモータ制御回路が組み込まれた集積回路(ＩＣ)素子Ｕ１の端子１２に入力され、集積回路(ＩＣ)素子Ｕ１では過電流と認識する基準値は使用するモータＭ１(34)とモータＭ２(35)とは定格がそれぞれ異なることから可変抵抗ＶＲ１〜４でそれぞれの基準値を設定し、所定の基準値を超えた検出電圧値Ｖ１を検出した場合は、端子３〜６のトライアックＱ１〜Ｑ４に対応するのゲートに開信号を出力し、トライアックＱ１〜Ｑ４は開放状態となり、モータＭ１(34)、Ｍ２(35)の回転は停止し、それ以上に患者の手や指を挟まないように安全を確保するものである。
なお、本実施例では安全装置は、モータ過電流検出を検知してモータを停止させているが、タッチセンサーで手・指がテレビ２に触れたのを検知しモータを停止させるようにしてもよい。
【００１６】
[リモコン送信機]
図６に本実施例のワイヤレスリモコン送信器６を示すが、病院の床頭台での高齢者や体力の弱った患者が使用することから、細かな操作ボタンは排除し可能な限り単純化し、チャンネル操作等のテレビ操作ボタンとテレビ画面調整ボタンとを一体化して単純化したものである。
このリモコン送信機は、通常より大きな面積の電源ボタン６５、上下のチャンネル操作ボタン６６、＋−のオンリョウ(音量)操作ボタン６７が配置され、映像されている画面が何であるかを表示する表示ボタン６８と、所定時間経過後にテレビの電源を遮断するおやすみタイマーボタン６９が配置され、通常のリモコンとは異なるのは、テレビの向きを操作するボタンが配置されていることであり、前述のテレビの向きを右向きに操作する（右）ボタン６１、左向きに操作する（左）ボタン６２、上向きに操作する（上）ボタン６３、下向きに操作する（下）ボタン６４を配置している。
テレビ２の本体の操作ボタンもリモコン操作と重複しないように、病院の施設や種々の案内を表示する、病院案内ボタン２５が配置されているだけである。
【００１７】
図１、図２で説明したテレビ支持装置３は、天板１１の上に設けるタイプであるが、図７、図８に示す、別の天板１１から下方に取り付ける場合を説明する。
基本的には、図１、図２で説明した設置方法と同じであるが、床頭台１の棚の上を煩雑にしないように構成したもので、ポール部314に接続する台板部311を係止具として利用するもので、床頭台１の天板１１を上下の２枚に構成し、天板１１の下に位置する下部天板111の所定位置にポール部314が貫通し、台板部311よりは十分小さなポール用孔１３を設け、予めテレビ回動支持装置３を天板取付部３１と回動駆動部３３とを分解しておき、天板取付部３１のポール部314を前記ポール用孔１３に上方から挿入する。この際、ポール用孔１３の直径は矩形の台板部311よりも十分小さいので、この矩形の台板部311が確実に下部天板111の上面に係止されることになり、さらには、四隅の取付孔312に木ねじ316を挿入して下部天板111に固着する。その後、台板部311を覆うように上部天板112を重ね合わせて、天板上部に更なる物品を載置できるようにする。また、デザイン的にもスッキリし綺麗な床頭台となる。
【００１８】
本実施例の床頭台用リモコン付テレビは、床頭台に設置される１７インチ以上の比較的大型テレビの画面の向きを、患者がベッドで寝たままで調整することができ、且つ、高齢者であっても簡単に操作することができ、更には、病院に設置することから安全性が十分に確保され、テレビの操作部も単純であり、ワイヤレスリモコン送信器も単純であり、チャンネル操作の他にテレビ向き調整ボタンを一体化したもので、別体である場合に比べて紛失することが少ない等の利点がある。
なお、本発明の特徴を損なうものでなければ、上記の実施例に限定されるものでないことは勿論である。
【図面の簡単な説明】
【００１９】
【図１】本発明の実施例を床頭台の天板上に載置した状態の図、
【図２】図１の側面図、
【図３】本発明の実施例のテレビ回動支持装置の分解斜視図、
【図４】図３の回動駆動部の拡大部分断面図、
【図５】本発明の実施例のモータ制御回路と安全装置の構成を簡略化した回路図、
【図６】本発明の実施例に使用するワイヤレスリモコン送信器の外観正面図、
【図７】本発明の実施例を床頭台の天板の下に取り付けた状態の図、
【図８】図７の側部分断面図である。
【符号の説明】
【００２０】
１…床頭台、１１…天板、111…下部天板、112…上部天板、
１２…背板、１３…ポール用孔
２…薄型テレビ、２１…外枠、２２…ディスプレイ部、
２３…イヤホーンジャック、２４…ON/OFFランプ、
２５…病院案内の押しボタンスイッチ、２６…ワイヤレスリモコン受信部、
２７…スピーカー、２８…背面、281…取付孔
３…テレビ回動支持装置、
３１…天板取付部、311…矩形の台板部、312…取付孔、
313…ボルト、314…ポール部、315…固定ナット、316…木ネジ、
３２…テレビ取付部、321…取付金具、322…取付孔、323…ボルト、
３３…回動駆動部、331…支持軸、332…駆動軸、333…枠体、334…接続コード
３４…モータＭ１、341…歯車列、3411…最終歯車、
342…出力軸、343…ストッパー突起、3431…リミットスイッチＳＷ１、
3432…リミットスイッチＳＷ２、
３５…モータＭ２、351…モータ軸、352…ウォーム歯車装置、
3521…ウォーム歯車、3522…平歯車、
354…ストッパー突起、3541…リミットスイッチＳＷ３、
3542…リミットスイッチＳＷ４、  
４…モータ制御回路、５…過負荷検出回路(安全装置)、
６…ワイヤレスリモコン送信器、６１〜６４…テレビ向き操作ボタン、
６５…電源ボタン、６６…チャンネル操作ボタン、６７…音量操作ボタン、
６８…画面表示ボタン、６９…タイマーボタン、
【手続補正３】
【補正対象書類名】図面
【補正対象項目名】図３
【補正方法】変更
【補正の内容】
【図３】
2008109407.tif 000011
【手続補正４】
【補正対象書類名】図面
【補正対象項目名】図５
【補正方法】変更
【補正の内容】
【図５】
2008109407.tif 000012